(57)【特許請求の範囲】
【請求項１】
レンズ、光学エンジン、及び、一端が前記光学エンジンに直列に連結された直線状のエンジン取付部とこのエンジン取付部の他端から所定の角度で折れ曲がった前記レンズを取り付けるためのレンズ取付部とから構成される鏡胴が含まれる光学エンジンアセンブリと；
前記鏡胴の前記エンジン取付部に取り付けられた鏡胴結合部と；
前記鏡胴を前記光学エンジンに対して前後に移動させる前記鏡胴結合部の動きを案内する鏡胴ブラケットと；
前記鏡胴の前記エンジン取付部の他端に取り付けられて前記鏡胴の位置を前記光学エンジンに対して前後に移動させることにより前記レンズの焦点を調整するための焦点調整ハンドルと
が含まれることを特徴とする画像ディスプレー機器の焦点調整装置。
【請求項２】
前記鏡胴結合部に長孔を形成させ、
前記鏡胴調整ブラケットに前記長孔に挿入される突起を形成させて、前記鏡胴が前記鏡胴調整ブラケットに対して孔と突起の間の隙間の範囲で動くことを特徴とする請求項１に記載の画像ディスプレー機器の焦点調整装置。
【請求項３】
前記鏡胴が前記鏡胴調整ブラケットに対して移動が可能に、前記鏡胴結合部に長孔及び突起が形成され、
前記鏡胴調整ブラケットは、前記長孔及び突起と各々整列される突起及び長孔が形成されることを特徴とする請求項１に記載の画像ディスプレー機器の焦点調整装置。
【請求項４】
前記焦点調整ハンドルは、前記鏡胴調整ブラケットの外側に置かれる取っ手と；
前記鏡胴調整ブラケットに形成されているハンドル支持部に支持されるネックと；
前記鏡胴に設けたねじを有する調整ホールに挿入されて回転によって前記鏡胴を移動させる調整ねじが含まれることを特徴とする請求項１に記載の画像ディスプレー機器の焦点調整装置。
【請求項５】
レンズ、光学エンジン、及び、一端が前記光学エンジンに直列に連結された直線状のエンジン取付部とこのエンジン取付部の他端から所定の角度で折れ曲がった前記レンズを取り付けるためのレンズ取付部とから構成される鏡胴が含まれる光学エンジンアセンブリと、
前記鏡胴の前記エンジン取付部に取り付けられた鏡胴結合部と、
前記鏡胴を前記光学エンジンに対して前後に移動させる前記鏡胴結合部の動きを案内するための所定の案内手段が形成される鏡胴調整ブラケットと
が含まれることを特徴とする画像ディスプレー機器の焦点調整装置。
【請求項６】
前記案内手段は、前記鏡胴と前記鏡胴調整ブラケットの接触面に形成されるレールであることを特徴とする請求項５に記載の画像ディスプレー機器の焦点調整装置。
【請求項７】
前記鏡胴調整ブラケットは、鏡胴結合部の下側に形成されることを特徴とする請求項５に記載の画像ディスプレー機器の焦点調整装置。
【請求項８】
前記鏡胴結合部と前記鏡胴調整ブラケットの接触面には鏡胴結合部を円滑に移動させ、衝撃によって鏡胴結合部が分離されないようにする固定手段が含まれることを特徴とする請求項５に記載の画像ディスプレー機器の焦点調整装置。
【請求項９】
前記固定手段は、ボルトとナットであることを特徴とする請求項８に記載の画像ディスプレー機器の焦点調整装置。
【発明の詳細な説明】
【０００１】
【発明の属する技術分野】
本発明は画像ディスプレー機器の光学エンジンから放射される画像の焦点調整装置に係り、さらに詳細に説明すると投射レンズの位置を調整して焦点を容易に調整することができるようにした画像ディスプレー機器の焦点調整装置に関する。
【０００２】
【従来の技術】
図１Ａは、従来の画像ディスプレー機器を示した構造図である。
図面を参照して説明すると、従来の画像ディスプレー機器は、光学エンジンアセンブリ１００と、光学エンジンアセンブリ１００から発生された画像が反射されるミラー２００と、ミラー２００から反射された光が投影されて像が結ばれるスクリーン３００とを備えている。
【０００３】
このような構成を有する従来の画像ディスプレー機器は、外部から伝送された画像信号を分析して前記光学エンジンアセンブリ１００を通して画像を発生させている。
【０００４】
光学エンジンアセンブリ１００で発生された画像は、画像ディスプレー機器の後端部に位置するミラー２００によって反射された後前面のスクリーン３００に投影されてユーザーが見ることができるようになっている。
【０００５】
ユーザーに良質の画像を提供するためには、画像がスクリーン３００に鮮明に投影されなければならない。そのため前記画像ディスプレー機器は、光学エンジンアセンブリ１００における焦点調整でそれが可能となっている。
【０００６】
このような光学エンジンアセンブリ１００における焦点調整方式を図面を参照しながら説明する。
【０００７】
図１Ｂは、従来の画像ディスプレー機器の光学エンジンアセンブリを示した構造図である。
【０００８】
図１Ｂを参照すると、従来の光学エンジンアセンブリは、画像を発生させる光学エンジン１１０と、発生された画像を投射するレンズ１２０と、光学エンジン１１０とレンズ１２０間を連結させる鏡胴１３０と、焦点を調整する調整リング１４０とを備えている。
【０００９】
焦点を合わせるために調整リング１４０を回転させることで、鏡胴１３０の上部に設けられているレンズ１２０を鏡胴１３０に引き込み又は突出させていた。従来は、そのレンズの鏡胴に対する移動を利用して焦点を合わせていた。
【００１０】
しかし、このようにレンズ１２０を鏡胴に対して移動させて焦点を調整する方式の場合には、焦点調節に当たって、画像ディスプレー機器の後端部を開放させて、画像ディスプレー機器内部に作業者が手を入れて調整リングを操作する焦点調整作業を行わなければならない。作業場所が狭いなどから、その調整作業が難しいのみならず、焦点調整によるスクリーンの画像投影状態の確認が難しいという問題点があった。
【００１１】
また、内部に複雑な機具的装置がさらに必要である。
さらに、このような複雑な構造によって故障が頻繁に発生する。
そして、複雑な構造を実現させなければならないために製造原価が上昇するという問題点がある。
【００１２】
【発明が解決しようとする課題】
本発明は前記のような問題点を解決するためになされたものであり、レンズを鏡胴に対して移動させずに焦点を調整する方法を提供することを課題とする。
【００１３】
【課題を解決するための手段】
前記目的を達成するために本発明による画像ディスプレー機器の焦点調整装置は、レンズ、鏡胴及び光学エンジンが含まれる光学エンジンアセンブリと；鏡胴に取り付けられた鏡胴結合部と；鏡胴と共に鏡胴結合部が移動するのを案内する鏡胴調整ブラケットと；鏡胴の一方の端部に取り付けられて鏡胴の位置を調整させるための焦点調整ハンドルを含んでいる。
【００１４】
【作用】
焦点調整ハンドルを操作して鏡胴を移動させるようになっているので、レンズを鏡胴に対して移動させなくても焦点を調整することが可能となる。したがって、焦点調整を容易にできるのみならず、構造を単純化させて生産性を向上させることができる。
【００１５】
【発明の実施の形態】
以下、本発明による焦点調整装置の具体的な実施形態を添付された図面を参照して詳細に説明する。
図２は、本発明の望ましい実施形態による焦点調整装置の構造を示した図である。
【００１６】
図２を参照すると、本実施形態による焦点調整装置は、光学エンジン１１０、レンズ１２０及び鏡胴１３０が含まれる光学エンジンアセンブリ１００を備えている。鏡胴１３０には固定ホール１３１ｂ、１３１ｄ及びブラケット結合用ホール１３１ａ、１３１ｃが形成された鏡胴結合部１３１が取り付けられている。図示には一つだけ表しているが、図示のものと対称の位置に同じものがもう一つ取り付けられている。鏡胴の胴部中央に設けられているが、結合部１３１の取り付け位置は任意である。鏡胴の長手方向に並んでいればよい。この鏡胴１３０には、鏡胴の前後への移動を調整することができる焦点調整ハンドル１５０が取り付けられるようになっている。また、鏡胴１３０は、別に用意された鏡胴調整ブラケット１６０に載せられるようにもなっている。鏡胴調整ブラケット１６０は鏡胴結合部１３１と協働するブラケットカプラ１６１が形成されており、さらにハンドル１５０を支持するハンドル支持部１６２が形成されている。
【００１７】
さらに詳細に説明すると、光学エンジンアセンブリ１００は、画像信号が形成されて投射される部材としての光学エンジン１１０、レンズ１２０及び鏡胴１３０が含まれている。光学エンジン１１０は入力された信号によって画像を生成する。
【００１８】
レンズ１２０は発生された画像を投射するためのものである。鏡胴１３０は光学エンジン１１０とレンズ１２０とを連結するものであって、本実施形態は図示のように、一端が光学エンジンに直列に連結された直線状のエンジン取付部と、その直線の方向から所定の角度の方向に光を投射するように、直線方向からある角度で折れた方向に向けてレンズ１２０を取り付けるためのレンズ取付部とで構成されている。そのため、鏡胴の内部にはミラーが備えられている。エンジン取付部は光学エンジン１１０に対して前後方向に移動可能に光学エンジン１１０に取り付けられている。
【００１９】
鏡胴１３０の後端部、すなわちレンズ取付部の端部の内側にねじを切った調整ホール１３２が形成されている。このねじはハンドル１５０をねじ込むためのものである。
【００２０】
鏡胴結合部１３１は、鏡胴１３０をブラケット１６０に載せたときにブラケットカプラ１６１と係合されるように固定ホール１３１ｂ、１３１ｄとブラケット結合用ホール１３１ａ、１３１ｃが形成されている。これに対してカプラ１６１には鏡胴固定用ねじホール１６１ｂ、１６１ｄと、鏡胴結合用突起１６１ａ、１６１ｃと、ハンドル支持部１６２が形成されている。すなわち、鏡胴１３０をブラケット１６０に載せたときに突起１６１ａ、ｃが鏡胴結合部１３１の結合用ホール１３１ａ、１３１ｃにそれぞれ挿入されるようになっている。
【００２１】
詳細には、鏡胴調整ブラケット１６０は、鏡胴１３０を載せて支え、鏡胴１３０の前後への移動の際の案内となっているものである。ブラケット１６０に設けた鏡胴固定用ねじホール１６１ｂ、１６１ｄは鏡胴結合部１３１の固定ホール１３１ｂ、１３１ｄに対応して形成されて、鏡胴結合用突起１６１ａ、１６１ｃは鏡胴１３０のブラケット結合用ホール１３１ａ、１３１ｃに対応して設けられている。
【００２２】
したがって、鏡胴結合部１３１とブラケットカプラ１６１は、鏡胴１３０を鏡胴調整ブラケット１６０に載せて結合させると、ブラケット結合用ホール１３１ａ、１３１ｃにブラケットカプラ１６１の突起１６１ａ、ｃが挿入され、そのとき同時に鏡胴結合部１３１の固定ホール１３１ｂ、１３１ｄがブラケットカプラ１６１のねじホール１６１ｂ、１６１ｄの位置に位置合わせされる。その際、固定ホール、結合用ホール共に、鏡胴１３０がブラケット１６０の上で一定範囲で前後に移動できるように長孔とされている。
【００２３】
上記実施形態では結合部１３１にそれぞれ用のホールを設け、ブラケットのカプラに突起とねじホールを設けたが、それぞれ逆の配置としてもよい。
【００２４】
本実施形態の焦点調整ハンドル１５０は、図示のように、ねじの形態であり、取っ手１５３と、ネック１５２と、調整ねじ１５１とで構成されている。これを鏡胴１３０のレンズ取付側の端部に設けた調整ホール１３２に取り付けるのであるが、その際、取っ手１５３が鏡胴調整ブラケット１６０の外側に出るようにし、ハンドル１５０のネック１５２が調整ブラケット１６０のハンドル支持部１６２に入り込むようにする。したがって、このハンドル支持部１６２は、調整ブラケット１６０の後端部の板状の部分にその板の上側に円形のネック１５２が入るような略半円形の切込を形成させて支持部としている。
【００２５】
使用状態においては、鏡胴１３０を調整ブラケット１６０に載せて取り付けるが、そのとき、鏡胴結合部１３１をブラケットカプラ１６１の上に載せるようにして鏡胴調整ブラケット１６０上に置くと図４に示したような配置になる。鏡胴１３０の端部に予め適当な位置までハンドル１５０をねじ込んで取り付けておき、鏡胴１３０をブラケット１６０に載せたときにハンドル支持部１６２にネック１５２を差し込むようにして取り付ける。このようにして、鏡胴１３０を鏡胴調整ブラケット１６０に設置した状態でハンドル１５０の取っ手１５１を回転させると、長孔とされた結合用ホール１３１ａ、１３１ｃと結合用突起１６１ａ、１６１ｃとの間の隙間の範囲で鏡胴１３０が調整ブラケット１６０に対して移動する。
【００２６】
ネック１５２の位置は、取っ手１５３が鏡胴調整ブラケット１６０のハンドル支持部１６２から一定程度離れ、ユーザーが容易に焦点調整ハンドル１５０を操作できるような位置にする。
【００２７】
図３は、本発明の望ましい実施形態による焦点調整装置を構成している鏡胴と鏡胴調整ブラケットが取り付けられた状態の鏡胴結合部の状態を示した図である。
【００２８】
図３を参照して、鏡胴１３０の動きをさらに詳細に説明する。鏡胴１３０の側面に設けた鏡胴結合部１３１の固定ホール１３１ｂ、１３１ｄは、鏡胴調整ブラケット１６０の側面のブラケットカプラ１６１の鏡胴固定用ねじホール１６１ｂ、１６１ｄの上にある。また、鏡胴結合部１３１のブラケット結合用ホール１３１ａ、１３１ｃには、ブラケットカプラ１６１の鏡胴結合用突起１６１ａ、１６１ｃが差し込まれている。
【００２９】
本実施形態は従来の技術とは違って、レンズの鏡胴に対する移動による焦点調整ではなく鏡胴の前後移動によって焦点を調整する方式を選んでいる。
【００３０】
したがって、前述したように、鏡胴調整ブラケット１６０の上で鏡胴１３０が前後に移動されるように鏡胴結合部１３１のブラケット結合用ホール１３１ａ、１３１ｃは鏡胴結合用突起１６１ａ、１６１ｃに比べて大きく形成されている。すなわち、鏡胴結合部１３１のブラケット結合用ホール１３１ａ、１３１ｃと鏡胴結合用突起１６１ａ、１６１ｃの大きさの差だけ鏡胴１３０が鏡胴調整ブラケット１６０の上で前後に動くことができる。
【００３１】
焦点調節後の鏡胴１３０と鏡胴調整ブラケット１６０の位置固定は、固定ホール１３１ｂ、１３１ｄと、鏡胴固定用ねじホール１６１ｂ、１６１ｄを連結させるねじ１７０によってなされる。焦点調整時にはねじ１７０は、鏡胴１３０が円滑に前後に移動できるように、ゆるめて取り付けておく。その際、衝撃によって分離されないように、ねじ１７０は、鏡胴結合部１３１と鏡胴調整ブラケット１６０とを結合できる程度には締めておく。当然焦点調節後は移動することがないように硬く締め付ける。
【００３２】
図４は、本発明の望ましい実施形態による焦点調整装置の作動を示した図面である。
図４を参照して本実施形態の作動を詳細に説明すると、外部の力によって取っ手１５３を回転させると、取っ手１５３に連結されているネック１５２が調整ブラケット１６０に固定された状態で、調整ねじ１５１が回転する。
【００３３】
この調整ねじ１５１の回転は、ネック１５２の位置が固定されているので、調整ねじ１５１が挿入されている鏡胴１３０の調整ホール１３２を前後に移動させる。その結果、鏡胴１３０が前後に移動する。
【００３４】
このとき、鏡胴１３０のハンドルを設けた側と反対側には光学エンジン１１０が相対的に移動できるように取り付けられている。通常、光学エンジン１１０を固定しておく。したがって、ハンドルの回転によって鏡胴１３０が移動し、その移動によって光学エンジン１１０とレンズまでの位置が変わり、焦点を調整することができる。上記実施形態においては、ハンドル１５０は、単純なねじの形状であるが、その形状はディスプレイ機器全体の形状に合わせて適宜の操作しやすい形状とすることができる。
【００３５】
したがって、このような特徴を有する本実施形態による焦点調整装置は、ハンドルの調整取っ手を用いて画像ディスプレー機器の前面からも、簡単に焦点を調整することができるようにすることができる。
【００３６】
鏡胴１３０の移動の案内となる鏡胴調整ブラケット１６０を用いてレンズを鏡胴に対して移動させずに鏡胴自体を移動させて焦点を調節するようにしたため、構造が単純化されて生産性が向上されて原価が節減される長所がある。
【００３７】
以下、本発明と同一思想の範囲の他の実施形態を提示する。
本発明のこの実施形態による焦点調整装置は、レンズ、鏡胴、及び光学エンジンが含まれる光学エンジンアセンブリと、鏡胴に取り付けられた鏡胴結合部と、鏡胴の移動を案内するための所定の案内手段が形成される鏡胴調整ブラケットが含まれる。
【００３８】
この案内手段は、鏡胴と鏡胴調整ブラケットの接触面に形成されて、接触面に設けた所定のレールで形成するのが望ましい。
【００３９】
鏡胴結合部と鏡胴調整ブラケットの接触面には、製品の移動時に外部からくわえられるであろう衝撃によって鏡胴が揺れずに、堅固に固定されるようにするための固定手段が含まれる。望ましくは、その固定手段はボルトとボルトが挿入される溝及びボルトが固定されるナットを用いることができる。
【００４０】
鏡胴を移動させる力を加えるための手段は、前述したように焦点調整ハンドルが利用できるが、それ以外にも、直接手で引いたり押したりして移動させることができ、さらには電磁気的力によって移動させることもできる。
【００４１】
本発明は前記実施形態に限らず、多くの変形が本発明の思想内で当分野で通常の知識を有する者によって可能なことはもちろんである。例えば前記ブラケット結合用ホール、固定ホール、鏡胴結合用突起及び鏡胴固定用ねじホールは鏡胴または鏡胴調整ブラケットのいずれか一方にのみ形成させればと十分で、またその配置順序も変更可能である。
【００４２】
【発明の効果】
以上詳細に説明したように、本発明は従来の技術とは違って、レンズの鏡胴に対する移動による焦点調整ではなく、鏡胴自体の前後移動によって焦点を調整するようにしたので、鏡胴はレンズに比べて大きな部品であり、その移動させるための上述したような部材をディスプレイ全体の構造から最も望ましい位置に設けることができ、しかも、構造が単純になる長所がある。
また、工程の減少によって生産費が節減される長所がある。
【図面の簡単な説明】
【図１】  Ａ：従来の画像ディスプレー機器を示した構造図、Ｂ：従来の画像ディスプレー機器の光学エンジンアセンブリを示した構造図。
【図２】本発明の望ましい実施形態による焦点調整装置の構造を示した図面。
【図３】本発明の望ましい実施形態による焦点調整装置をなす鏡胴と鏡胴調整ブラケットが締結された状態を示した図面。
【図４】本発明の望ましい実施形態による焦点調整装置の作動を示した図面。
【符号の説明】
１００：光学エンジンアセンブリ
２００：ミラー
３００：スクリーン
１１０：光学エンジン
１２０：レンズ
１３０：鏡胴
１４０：調整リング
１３１：鏡胴結合部
１３２：調整ホール
１５０：焦点調整ハンドル
１５１：調整ねじ
１５２：ネック
１５３：取っ手
１６０：鏡胴調整ブラケット
１６１：ブラケットカプラ
１６２：ハンドル支持部
１７０：ねじ
１３１ａ、１３１ｃ：ブラケット結合用ホール
１３１ｂ、１３１ｄ：固定ホール
１６１ａ、１６１ｃ：鏡胴結合用突起
１６１ｂ、１６１ｄ：鏡胴固定用ねじホール
【図１】
0003890260.tif 000002
【図２】
0003890260.tif 000003
【図３】
0003890260.tif 000004
【図４】
0003890260.tif 000005